(57)【要約】【課題】  薬液容器の噴霧ノズルを押し下げて一定時間の噴霧が終了した際に、噴霧ノズルを常に元位置まで復帰させておくことができる薬液自動噴霧装置を提供するにある。【解決手段】  ケース１内に配設した薬液容器５の上端部に装着している噴霧ノズル４に鍔部4aが設けられあり、この鍔部4aをモータ７によって減速機構８を介して駆動されるカム機構９により押し下げて薬液容器５内の薬液を噴霧ノズル４から噴霧するように構成した薬液自動噴霧装置において、噴霧ノズル４からの一定の噴霧時間が経過した際に、上記上記カム機構９により噴霧ノズル４が押し下げられた状態にある時には上記モータ７を作動させ、噴霧ノズル４が元位置に復帰した際に上記モータ７を停止させるスイッチ回路を備えたノズル復帰機構30を設けている。【選択図】    図８
2019024392.tif 000002
【特許請求の範囲】
【請求項１】
上端が開口しているケース体とこのケース体の上端開口部に着脱自在に装着したカバー体とを有し、上記ケース体内に噴霧ノズルを上方に向けて設けている薬液容器を取り替え可能に収納した収納室を形成している一方、上記カバー体側に電源と、制御基板と、制御基板からの信号によって作動するモータと、このモータによって減速機構を介して駆動されるカム機構とを配設してあり、モータを一定時間だけ作動させて上記カム機構により上記容器の噴霧ノズルを押し下げて噴霧ノズルから薬液を外部に噴射するように構成した薬液自動噴霧装置において、上記カバー体側に、上記カム機構により噴霧ノズルが押し下げられた状態にある時には上記モータを作動させ、噴霧ノズルが元位置に復帰した際に上記モータを停止させるスイッチ回路を備えたノズル復帰機構を設けていることを特徴とする薬液自動噴霧装置。
【請求項２】
薬液容器の噴霧ノズルの基部にカム機構により押し下げられる鍔部を一体に設けてあり、この鍔部上にカム機構を配設していることを特徴とする請求項１に記載の薬液自動噴霧装置。
【請求項３】
カム機構は、中央部に容器の噴霧ノズルを挿通させた挿通孔を有し、且つ、この挿通孔を中心とする円周上に下方に向かって突出した円弧状に湾曲している山部と谷部とを周方向に交互に形成したカム面を設けてなる固定カム体と、この固定カム体の下方における噴霧ノズルの鍔部上に載置され、中央部に上記容器の噴霧ノズルの基部を挿通させた中央孔を有し、且つ、この中央孔を中心とする円周上に上記固定カム体のカム面に係合した円弧状に湾曲した凸部と凹部とを周方向に交互に連続形成している円環部材とからなり、この円環部材は回転筒部材の内周面に一体に設けられていて、回転筒部材と共にモータによって減速機構を介して回転するように構成していることを特徴とする請求項１又は請求項２に記載の薬液自動噴霧装置。
【請求項４】
ノズル復帰機構は、カム機構における円環部材と一体の回転筒部材の下端面にスプリング力によって圧接している作動片と、作動片の下方に配設され、噴霧ノズルからの噴霧時間が経過した際に、噴霧ノズルが元位置に復帰することなく押し下げられた状態となっている時には、上記作動片によって閉成してモータを作動させ、噴霧ノズルが元位置まで復帰した際には開成してモータの作動を停止させるスイッチ回路とからなることを特徴とする請求項１又は請求項３に記載の薬液自動噴霧装置。
【請求項５】
減速機構は、モータの回転軸の回転を減速しながらカム機構における円環部材を有する回転筒部材に伝達する噛合歯車列からなることを特徴とする請求項１又は請求項３に記載の薬液自動噴霧装置。
【請求項６】
カバー体の下端開口部に、中央部に薬液容器のキャップを挿入させている短筒部を設け、外周部に電源収納部とモータ設置部を備えている端面板を取付けてあり、この端面板を介してカバー体をケースの上端開口部に着脱自在に装着していることを特徴とする請求項１に記載の薬液自動噴霧装置。
【発明の詳細な説明】
【技術分野】
【０００１】
本発明はネズミ等の小動物を追い払うための忌避剤などの薬液を自動的に噴霧する薬液自動噴霧装置に関する。
【背景技術】
【０００２】
従来から、ネズミ忌避装置としては、例えば、特許文献１に記載されているように、ケース内に忌避剤を収容した容器と、この容器の上端口部に上下動自在に装着された噴霧ノズルと、このノズルを押し下げるカム機構等からなる押し下げ機構と、押し下げ機構を駆動するモータ及び制御回路とを配設していると共に、上記ケースの前面に赤外線センサーを設け、且つ、上記噴霧ノズルの前方のケース前面部に吐出口を開設してなり、上記赤外線センサーによってネズミを検知した際に、制御回路から信号を発して上記モータにより押し下げ機構を作動させ、噴霧ノズルを押し下げて上記吐出口からネズルに向かって忌避剤を噴霧するように構成したネズル忌避装置が知られている。
【０００３】
また、特許文献２には、センサーを採用することなく、所定時間間隔毎に噴霧ノズルを押し下げて容器内の忌避剤を噴霧ノズルから噴霧するように構成した自動噴霧装置が記載されている。
【０００４】
この自動噴霧装置は、上記容器の上部に着脱自在に被せるケースの上端部内に電源及び電源スイッチと、所定の噴霧時間間隔毎に信号を発生してモータを回転させる制御回路を有する基板とを配設していると共に、上記ケースの中央部内に上下に所定間隔を存して上下板を配設して、上板に上記モータを固定すると共にこれらの上下板間にモータの回転を減速する減速機構と、この減速機構により回転させられ、噴霧ノズルを押し下げるカム機構とを設けてなる構造を有している。
【０００５】
なお、上記カム機構は、下面外周部に周方向に低レベルカム面から高レベルカム面に連続形成している傾斜カム面を有する円板形状の駆動カムからなり、上記傾斜カム面を下向きにして容器の噴霧ノズルに装着している噴霧治具の突部に押当させてこのカム機構の駆動カムを周方向に回転させることにより、低レベルカム面から高レベルカム面に向かう傾斜面で上記突部を介して噴霧ノズルを押し下げるように構成している。
【先行技術文献】
【特許文献】
【０００６】
【特許文献１】特開平８−２１４７６０号公報
【特許文献２】特開２００５−８１２２３号公報
【発明の概要】
【発明が解決しようとする課題】
【０００７】
しかしながら、上記特許文献１、２に記載された忌避剤噴霧装置によれば、制御回路によってカム機構を所定時間だけ作動させて噴霧ノズルからの忌避剤の噴霧を行ったのち、カム機構を駆動するモータの回転を停止させると、カム機構が元の位置まで完全に復帰することなく噴霧ノズルを押し下げている途中で、或いは、噴霧ノズルを、押し戻している途中で停止して、噴霧ノズルを押し下げた状態に保持する事態が発生する虞れがある。
【０００８】
例えば、上記特許文献２において、カム機構における円板形状の駆動カムの下面外周部に低レベルカム面から高レベルカム面に連続形成している傾斜カム面を噴霧ノズルに装着している噴霧治具の突部に押し付けながら駆動カムを回転させることによって、噴霧ノズルを押し下げて忌避剤を噴霧したのち、カム機構の駆動モータを停止させると、駆動カムの傾斜カム面における低レベルカム面から高レベルカム面、即ち、下死点から上死点に到る中間のカム面部分、或いは、上死点から下死点に到る中間のカム面部分に上記噴霧治具の突部が押当した状態となる場合が発生する。
【０００９】
このように、噴霧ノズルが元位置にまで完全に復帰することなく、カム機構によって押し下げられた状態に保持されると、噴霧ノズルからの忌避剤の噴霧が円滑に行われなくなる事態が生じるばかりでなく、特許文献２に記載されているように、容器の取り替えを可能にするために、カム機構等を容器の蓋となるケース側に配設した場合、容器の噴霧治具の突起に押当するカム機構の傾斜カム面が下死点位置からケースの開口端側に向かって下方に位置しているので、このケースを新たな容器に被せると、この容器の噴霧ノズルが上記カム面に押し下げられて噴霧ノズルから忌避剤が噴霧され、顔などに付着するといった問題点がある。
【００１０】
本発明はこのような問題点に鑑みてなされたもので、その目的とするところは、噴霧ノズルをカム機構を介して押し下げて容器内の忌避剤等の薬剤を所定時間、自動的に噴霧させたのち、噴霧を停止させた際に、噴霧ノズルを常に元の位置まで自動的に復帰させて次の噴霧に待機させることができる薬液自動噴霧装置を提供するにある。
【課題を解決するための手段】
【００１１】
上記目的を達成するために本発明の薬液自動噴霧装置は、請求項１に記載したように、上端が開口しているケース体とこのケース体の上端開口部に着脱自在に装着したカバー体とを有し、上記ケース体内に噴霧ノズルを上方に向けて設けている薬液容器を取り替え可能に収納した収納室を形成している一方、上記カバー体側に電源と、制御基板と、制御基板からの信号によって作動するモータと、このモータによって減速機構を介して駆動されるカム機構とを配設してあり、モータを一定時間だけ作動させて上記カム機構により上記容器の噴霧ノズルを押し下げて噴霧ノズルから薬液を外部に噴射するように構成した薬液自動噴霧装置において、上記カバー体側に、上記カム機構により噴霧ノズルが押し下げられた状態にある時には上記モータを作動させ、噴霧ノズルが元位置に復帰した際に、上記モータを停止させるスイッチ回路を備えたノズル復帰機構を設けていることを特徴とする。
【００１２】
このように構成した薬液自動噴霧装置において、請求項２に係る発明は、薬液容器の噴霧ノズルの基部にカム機構により押し下げられる鍔部を一体に設けてあり、この鍔部上にカム機構を配設していることを特徴とする。
【００１３】
請求項３に係る発明は、上記カム機構は、中央部に容器の噴霧ノズルを挿通させた挿通孔を有し、且つ、この挿通孔を中心とする円周上に下方に向かって突出した円弧状に湾曲している山部と谷部とを周方向に交互に形成したカム面を設けてなる固定カム体と、この固定カム体の下方における噴霧ノズルの鍔部上に載置され、中央部に上記容器の噴霧ノズルの基部を挿通させた中央孔を有し、且つ、この中央孔を中心とする円周上に上記固定カム体のカム面に係合した円弧状に湾曲した凸部と凹部とを周方向に交互に連続形成している円環部材とからなり、この円環部材は回転筒部材の内周面に一体に設けられていて、回転筒部材と共にモータによって減速機構を介して回転するように構成している。
【００１４】
請求項４に係る発明は、上記ノズル復帰機構は、上記カム機構における円環部材と一体の回転筒部材の下端面にスプリング力によって圧接している作動片と、作動片の下方に配設され、噴霧ノズルからの噴霧時間が経過した際に、噴霧ノズルが元位置に復帰することなく押し下げられた状態となっている時には、上記作動片によって閉成してモータを作動させ、噴霧ノズルが元位置まで復帰した際には開成してモータの作動を停止させるスイッチ回路とからなることを特徴とする。
【００１５】
また、請求項５に係る発明は、上記減速機構は、モータの回転軸の回転を減速しながら上記カム機構における円環部材を有する回転筒部材に伝達する噛合歯車列からなることを特徴とする。
【００１６】
さらに、請求項６に係る発明は、上記カバー体の下端開口部に、中央部に薬液容器のキャップを挿入させている短筒部を設け、外周部に電源収納部とモータ設置部を備えている端面板を取付けてあり、この端面板を介してカバー体をケースの上端開口部に着脱自在に装着していることを特徴とする。
【発明の効果】
【００１７】
請求項１に係る発明によれば、薬液自動噴霧装置は上端が開口しているケース体とこのケース体の上端開口部に着脱自在に装着したカバー体とを有し、上記ケース体内に噴霧ノズルを上方に向けて設けている薬液容器を取り替え可能に収納した収納室を形成しているので、カバー体を取り外すことによってケース体内に対する薬液容器の取り替えが容易に行うことができる。
【００１８】
さらに、上記カバー体側には、モータと、このモータによって減速機構を介して駆動され、上記容器の噴霧ノズルを押し下げるカム機構とを配設しているので、モータを一定時間だけ作動させることにより、カム機構を介して噴霧ノズルを押し下げて容器内の薬液を所定量、噴霧ノズルから自動的に噴霧させることができる。
【００１９】
その上、上記カバー体側に、上記カム機構により噴霧ノズルが押し下げられた状態にある時には上記モータを作動させ、噴霧ノズルが元位置に復帰した際に、上記モータを停止させるスイッチ回路を備えたノズル復帰機構を設けているので、タイマー等によって設定された一定時間だけモータによってカム機構を駆動して噴霧ノズルから容器内の薬液を噴霧したのち上記設定時間が経過した時に、噴霧ノズルがカム機構により押し下げられた状態となっている場合には、モータの作動を継続させて噴霧ノズルが元位置に復帰するまでカム機構を作動させることができる。
【００２０】
従って、噴霧ノズルが不作動の際には、常に元位置に復帰させた状態に保持しておくことができ、そのため、噴霧ノズルからの薬液の噴霧が常に安定した状態で行うことができて長期の使用に供することができると共に、薬液容器の取り替え時において、ケース体内に新たな薬液容器を収納したのち、カム機構等を配設しているカバー体をケース体に被せても、上記カム機構により上記薬液容器の噴霧ノズルを押し下げることなく、簡単且つ正確に薬液自動噴霧装置を組み立てることができる。
【００２１】
請求項２に係る発明によれば、薬液容器の噴霧ノズルの基部にカム機構により押し下げられる鍔部を一体に設けてあり、この鍔部上にカム機構を配設しているので、噴霧ノズルの周囲の空間を利用してカム機構を配設したコンパクトな構造とすることができ、その上、カム機構によって直接的に且つ安定した動作でもって噴霧ノズルを押し下げて薬液を噴霧することができる。
【００２２】
また、請求項３に係る発明によれば、上記カム機構は、中央部に容器の噴霧ノズルを挿通させた挿通孔を有し、且つ、この挿通孔を中心とする円周上に下方に向かって突出した円弧状に湾曲している山部と谷部とを周方向に交互に形成したカム面を設けてなる固定カム体と、この固定カム体の下方における噴霧ノズルの鍔部上に載置され、中央部に上記容器の噴霧ノズルの基部を挿通させた中央孔を有し、且つ、この中央孔を中心とする円周上に上記固定カム体のカム面に係合した円弧状に湾曲した凸部と凹部とを周方向に交互に連続形成している円環部材とからなるので、噴霧ノズルを中央にしてこの噴霧ノズルの周囲にカム機構等がコンパクトに配設された構造となって、組立て等が容易で且つ安価に製造することができる薬液自動噴霧装置を提供することができる。
【００２３】
さらに、上記円環部材は回転筒部材の内周面に一体に設けられていて、回転筒部材と共にモータによって減速機構を介して回転するように構成しているので、円環部材が回転すると、この円環部材に設けている円弧状に湾曲した凸部が固定カム体の下方に向かって突設している円弧状に湾曲した山部と谷部とに摺接しながら谷部から山部に向かって移動した時に、円環部材が固定カム体の山部によって下方に押動させられて噴霧ノズルを押し下げながら薬液容器内の薬液をこの噴霧ノズルから噴霧させることができる。
【００２４】
この際、固定カム体に設けている上記山部と谷部、および、円環部材に設けている上記凸部と凹部とは、噴霧ノズルを挿通させている挿通孔を中心とする円周上にそれぞれ周方向に交互に設けられているので、円環部材を載置している噴霧ノズルの鍔部の全面に円環部材の押し下げ力を均等に作用させながら噴霧ノズルを円滑に押し下げて薬液容器内の薬液を噴霧させることができ、その上、円環部材をこの円環部材に設けている上記凸部の高さと、固定カム体に設けている上記山部の高さとの和に相当する距離だけ噴霧ノズルを大きく押し下げて噴霧ノズルからの薬液噴霧量を増大させることができる。
【００２５】
請求項４に係る発明によれば、上記ノズル復帰機構は、上記回転筒部材の下端面にスプリング力によって圧接している作動片と、作動片の下方に配設され、噴霧ノズルからの噴霧時間が経過した際に、噴霧ノズルが元位置に復帰することなく押し下げられた状態となっている時には、上記作動片によって閉成してモータを作動させ、噴霧ノズルが元位置まで復帰した際には開成してモータの作動を停止させるスイッチ回路とから構成しているので、モータを制御基板に設けているタイマ等によって一定時間作動させてカム機構により噴霧ノズルを押し下げ、薬液を噴霧する動作と噴霧ノズルを元位置まで復帰させる動作とを行わせた際に、上記作動片が噴霧ノズルと一体的に上下動して噴霧ノズルが元の位置に復帰した時以外の動作中では上記スイッチ回路を閉成した状態にすることができ、従って、噴霧ノズルからの薬液の噴霧が終了した時には、噴霧ノズルを常に元位置にまで復帰させて、次の噴霧に待機させておくことができる。
【００２６】
請求項５に係る発明によれば、上記減速機構は、モータの回転軸の回転を減速しながら上記カム機構における円環部材を有する回転筒部材に伝達する噛合歯車列からなるので、この噛合歯車列によってカム機構における円環部材に所定の回転トルクを伝達しながらカム機構を円滑に作動させることができる。
【００２７】
さらに、請求項６に係る発明によれば、上記カバー体の下端開口部に、中央部に薬液容器のキャップを挿入させている短筒部を設け、外周部に電源収納部とモータ設置部を備えている端面板を取付けてあり、この端面板を介してカバー体をケースの上端開口部に着脱自在に装着しているので、上記カバー体内に配設しているモータや減速機構およびカム機構と共に電源等をカバー体側に整然と配設しておくことができ、装置全体の小型化を可能にすることができると共に、薬液容器の交換、及び減速機構やカム機構等の保守、点検が容易に行うことかできる。
【図面の簡単な説明】
【００２８】
【図１】薬液自動噴霧装置の外観を示す斜視図。
【図２】図１におけるＡ−Ａ線縦断面図。
【図３】分解斜視図。
【図４】モータと減速機構、カム機構及び回路基板を配設している上下固定枠体の分解斜視図。
【図５】ノズル復帰機構を設けている端面板の一部拡大斜視図。
【図６】ノズル復帰機構の分解斜視図。
【図７】減速機構の平面図。
【図８】モータが停止して液体容器の噴霧ノズルが薬液を噴霧しない元位置に位置して状態の一部を断面した簡略正面図。
【図９】その位置におけるノズル復帰機構の状態を示す断面図。
【図１０】カム機構によって噴霧ノズルが途中まで押し下げられている状態の一部を断面した簡略正面図。
【図１１】その時のノズル復帰機構の状態を示す断面図。
【図１２】カム機構によって噴霧ノズルが下死点まで押し下げられた状態の一部を断面した簡略正面図。
【発明を実施するための形態】
【００２９】
本発明の具体的な実施例を図面について説明すると、図１〜図４において、薬液自動噴霧装置は、上端が全面的に開口しているケース体１と、このケース体１の上端開口部に着脱自在に装着しているカバー体２と、このカバー体２の下端開口部に着脱自在に取付けている端面板３とを有し、上記ケース体１内には上端に噴霧ノズル４を装着している薬液容器５を取り替え可能に収納したコップ形状の収納室６が設けられてあり、上記カバー体２内には、モータ７と、このモータ７によって駆動される噛合歯車列からなる減速機構８と、この減速機構８によって駆動されて上記薬液容器５の噴霧ノズル４を押し下げることにより噴霧ノズル４から薬液を噴霧させるカム機構９と、所定の噴霧時間間隔毎に上記モータ７を一定時間作動させる電気回路を内蔵した制御基板10とが設けられている。
【００３０】
さらに、上記端面板３上には、上記モータ７を作動させて噴霧ノズル４をカム機構９によって押し下げることにより噴霧ノズル４から薬液が一定時間、噴霧されてこの噴霧時間が終了した際に、噴霧ノズル４が元位置（上死点）まで復帰することなく押し下げられた状態となっている時には、上記モータ７を噴霧ノズル４が元位置に達するまで作動させるスイッチ回路30a を備えたノズル復帰機構30が配設されている。
たいする
【００３１】
上記薬液容器５の収納室６の深さは、薬液容器５の容器部分を収納可能な深さに形成されてあり、薬液容器５のキャップ5aとこのキャップ5aに上下動自在に装着されている上記噴霧ノズル４は収納室６から上方に突出している。さらに、上記端面板３には、その中央部に上記薬液容器５のキャップ5aを挿入させている上下方向に貫通した短筒部3aを設けていると共に、下面外周部に電池からなる電源11の収納部12を形成してあり、この電源11を配線13によって上記制御基板10に接続し、制御基板10から配線13' によって上記モータ７に接続している。また、端面板３の外周部には、上記モータ７の底部を着脱可能に設置させた円形状のモータ設置凹部3cが設けられている。なお、上記カバー体２には、上記制御基板10に対して電源11からの通電をＯＮ、ＯＦＦするための押釦20が設けられている。
【００３２】
上記ケース体１は、上記コップ形状の収納室６の上端開口部に外方に向かって斜め上方に緩傾斜した一定幅を有するリング状の周縁部1aを一体に設けていると共にこの周縁部1aの外周端縁から上方に向かって周壁部1bを突設してあり、さらに、上記収納室６の外周面における三方に、ケース体１を設置面に設置するための脚片1cを設けている。
【００３３】
また、上記ケース体１の周壁部1bの上端部内周面における三方に係止突片1dを内方に向かって突設している一方、上記端面板３はこのケース体１の周壁部1bの平面形状と同大の円板形状に形成されていてこの端面板３の下面外周部における三方に上記係止突片1dに係脱自在な断面Ｌ字状の係止突片3bを突設してあり、これらの係止突片1d、3bの係止によって端面板３を有するカバー体２をケース体１の上端開口部に着脱に装着している。
【００３４】
カバー体２は、上記ケース体１の上端周壁部1bと同径で、一定高さを有する短筒形状の周壁部2aの上端に、中心に向かって斜め上方に緩傾斜した天壁部2bを一体に設けてなり、この天壁部2bの中心部に上記噴霧ノズル４の上端部を外部に臨ませている薬液放出口2cを設けている一方、上記周壁部2aの下端部内周面の複数箇所に溝部2dを設けていて、この溝部2dに上記端面板３の上面における外周部複数箇所に突設した係止突起3eを係脱自在に係止させてカバー体２の下端開口部に端面板３を装着している。
【００３５】
上記薬液容器５の上端部に装着している噴霧ノズル４の基部には円盤形状の鍔部4aが一体に設けられてあり、この鍔部4aの上面を押圧することによって噴霧ノズル４を押し下げて、薬液容器５内の薬液を管を通じて噴霧ノズル４から噴出させ、上記鍔部4aに対する押圧を解くことによって噴霧ノズル４がスプリング（図示せず）の復元力によって元の位置（上死点）まで復帰させるように構成している。
【００３６】
上記カバー体２内には、上下に一定間隔を存した状態で筒状スペーサ16等を介して一体的に連結している上下円形枠14、15が配設されていて、これらの円形枠14、15をカバー体2 の内面に固着している。そして、上側円形枠14の中央部には上記薬液容器５の噴霧ノズル４の中間部を挿通させた挿通孔17を有する中央円形枠部14a が連結片14b によって一体に設けられてあり、この中央円形枠部14a の下面における上記挿通孔17を中心とする円周上に、下方に向かって突出し、カム面となる下端面がサインカーブからなる円弧状に湾曲している山部9a1 、と谷部9a2 とを周方向に交互に連続形成してなる固定カム体9aを設けている。
【００３７】
一方、下側円形枠15の中央部には、図２、図４に示すように、上記上側円形枠14の中央円形枠部14a よりも大径で、上記噴霧ノズル４の鍔部4aを挿通させている挿通孔18を有する下側中央円形枠部15a がが連結片15b によって一体に設けられている。
【００３８】
この下側中央円形枠部15a には図２、図８等に示すように、回転筒部材19が挿通されてあり、下側中央円形枠部15a から上方に突出しているこの回転筒部材19の上部外周面には減速機構８の一部を構成した歯車88が一体に設けられていると共に、回転筒部材19の上部内にこの回転筒部材19の内周面に沿うように上記固定カム体9aが挿入されている。さらに、この固定カム体9aの下方における回転筒部材19の長さ方向の中間部内には上記噴霧ノズル４の鍔部4aが挿入された状態にして位置している。
【００３９】
上記回転筒部材19の内周面における長さ方向の中間部内には、その外周面を回転筒部材19の内周面に一体に連ねている円環部材9bが設けられてあり、この円環部材9bを上記固定カム体9aと噴霧ノズル４の鍔部4aとの間に介在させてその下面を噴霧ノズル４の鍔部4a上に載置して、この鍔部4aに回転筒部材19と一体に回転自在に支持させている。
【００４０】
円環部材9bの中央には噴霧ノズル４の基部を挿通させている中央孔21が設けられてあり，この中央孔21を中心として円環部材9bの外周部上面に、上記固定カム体9aのカム面を形成している山部9a1 と谷部9a2 とにそれぞれ突き合わせ状に係合した円弧状に湾曲した凹部9b2 と凸部9b1 とを周方向に交互に連続形成している。そして，この円環部材9bと上記固定カム体9aとによって、上記薬液容器５の噴霧ノズル４を押し下げて噴霧ノズル４から薬液を噴霧させる上記カム機構９を構成している。
【００４１】
このカム機構９における上記固定カム体9aの山部9a1 と谷部9a2 、及び、上記円環部材9bの凸部9b1 と凹部9b2 との個数は特に限定されないが、山部9a1 （凸部9b1 ）と谷部9a2 （凹部9b2 ）とが周方向に90度の角度間隔毎に、２個ずつ設けておくことが好ましい。このように構成しておくと、回転筒部材19と一体の円環部材9bを回転させることによって、円環部材9bに180 度の角度間隔を存して突設している凸部9b1 、9b1 が固定カム体9aの山部9a1 と谷部9a2 とに接合しながら円環部材9b全体を下方に向かって均一な押圧力でもって押し下げることができ、従って、噴霧ノズル４の鍔部4aを全面的に均等に押し下げながら円滑に噴霧させることができる。
【００４２】
上記端面板３の外周部に設けた凹部3cに着脱可能に設置されている上記モータ７は、その上端部を上記下側円形枠15の外周部に固定されていると共に上側円形枠14と下側円形枠15との間の空間部には、このモータ７の回転を減速しながら上記カム機構９における円環部材9bに伝達する噛合歯車列からなる上記減速機構８が配設されている。
【００４３】
減速機構８を構成している上記噛合歯車列は図４、図７、図８等に示すように、上記モータ７の回転軸に固着しているピニオン81と、このピニオン81に噛合した小径歯車82と、小径歯車82と同軸に固着しているピニオン83とこのピニオン83に噛合した中間歯車84（上記小径歯車82よりも大径である）と、中間歯車84と同軸に固着しているピニオン85と、このピニオン85に噛合した大径歯車86と、この大径歯車86にピニオン87を介して噛合している上記カム機構９における円環部材9bを有する回転筒部材19の外周面に設けた上記歯車88とからな構成されている。
【００４４】
なお、上記小径歯車82、中間歯車84、大径歯車86、この大径歯車86に噛合しているピニオン87等は、上下円形枠14、16に回転自在に軸支されている。また、上記回転筒部材19の外周面に設けている上記歯車88は、上記大径歯車86よりも大径に形成されている。
【００４５】
上記カバー体２の下端開口部に着脱自在に装着している端面板３の中央短筒部3aの外周面には図３、図５、図６等に示すように、上記ノズル復帰機構30の収容室31が一体に設けられている。
【００４６】
ノズル復帰機構30は、上記制御基板10に配線21によって接続しているスイッチ回路30a
と、スプリング32の力によって常時、上方に付勢されている作動片30b とからなり、上記収納室31の一半部内にこの作動片30b を上記スプリング32と共に配設していると共に、作動片30b の一部を、収納室31の内壁となっている上記端面板３の中央短筒部3aの一部にこの短筒部3aの上端から下端部にまで一定幅でもって切除してなる縦ガイド開口部33を通じて中央短筒部3a内に突出させた突出片部30b1に形成してあり、この突出片部30b1の上面を上記円環部材9bを設けている回転筒部材19の下端面に上記スプリング32によって押し付けている一方、上記収納室31の他半部内には上記スイッチ回路30a を備えた外函体22が収納、配設されている。
【００４７】
このスイッチ回路30a の外函体22における上記作動片30b に対向する側面の下端部には、上記作動片30b の下方に向かって突出しているスイッチ30a1が上下方向に回動自在に枢着していると共に、このスイッチ30a1の上面を上記外函体22の側面に沿って配設している上記作動片30b の垂下片部30b1の下端にスプリング力によって常時、当接させてあり、上記カム機構９により噴霧ノズル４が押し下げられて一定の噴霧時間が経過した際に、噴霧ノズル４と共に上記作動片30b が下動した状態にある時には、この作動片30b の下動によってスイッチ30a1が下回動した状態に保持されてスイッチ回路30a を介して上記モータ７の作動を継続させ、噴霧ノズル４が元位置にまで復帰した際には、スイッチ回路30a が元の位置まで上回動してモータ７の作動を停止させるように構成している。
【００４８】
次に、上記のように構成した薬液自動噴霧装置の使用態様を説明する。薬液容器５には例えば、ネズミの忌避剤からなる薬液が収容されてあり、この薬液容器５を内部に備えている上記ケース体１をネズミが出没しやすい場所に設置し、押釦20を押してＯＮすることにより作動状態にセットしておく。
【００４９】
この設置状態にして一定時間が経過すると、制御基板10の制御回路からモータ７側に信号が発信されてモータ７が作動し、噛合歯車列からなる減速機構８によってその回転速度を減速しながら、且つ、回転トルクを増大させながら噛合歯車列の出力端側の歯車88に伝達し、この歯車88を設けている上記回転筒部材19を回転させて、この回転筒部材19の内周面に一体に設けている円環部材9bを噴霧ノズル４の鍔部4a上で噴霧ノズル４回りに回転させる。
【００５０】
円環部材9bが回転すると、この円環部材9bの外周部上面に周方向に交互に突設している凸部9b1 と山部9a1 とにおける凸部9b1 が、図10に示すように、回転方向に向けている傾斜面をこの傾斜面が係合している固定カム体9aにおける山部9a1 の傾斜面上に摺接させながら下方に移動する。従って、凸部9b1 を設けている上記円環部材9bが固定カム体9aに対して下方に移動しながらこの円環部材9bを上載させている鍔部4aを介して噴霧ノズル４を押し下げ、噴霧ノズル４から薬液容器５内の薬液をカバー体２の天壁部2bに設けている放出口2cから外部に噴出させる。
【００５１】
噴霧ノズル４の押し下げは、図12に示すように、円環部材9bに設けている上記凸部9b1
の頂面が固定カム体9aの山部9a1 の頂面に達するまで行われ、継続する円環部材9bの回転によって凸部9b1 が山部9a1 を乗り越えると噴霧ノズル４からの薬液の噴霧が停止すると共に、凸部9b1 における回転方向とは反対側に向けている傾斜面が、山部9a1 の対向する傾斜面に沿って摺動しながら噴霧ノズル４の復元力によって円環部材9bが押し上げられ、図８に示すように、その凸部9b1 が固定カム体9aの谷部9a2 に位置して噴霧ノズル４を元位置に復帰させる。
【００５２】
固定カム体9aの山部9a1 に凸部9b1 を突き合わせ状に係合させながら円環部材9bを回転させることによって行われる上記噴霧ノズル４からの薬液の噴霧が、予め設定された一定時間の間に一回乃至数回行われるが、この一定の噴霧時間が終了した際に、噴霧ノズル４が元位置まで復帰することなくその途上で押し下げられた状態となる場合がある。
【００５３】
この状態においては固定カム体9aの山部9a1 の傾斜面上に円環部材9bの凸部9b1 が位置してあり、従って、円環部材9bが固定カム体9aによって押し下げられていて図10、図11に示すように，この円環部材9bを設けている回転筒部材19の下端面によってノズル復帰機構30の作動片30b も一体に押し下げられ、この作動片3bの垂下片部30b1の下端面によってスイッチ回路30a のスイッチ30a1が下回動して閉成し、上記噴霧時間が終了しているにもかかわらず上記制御基板10によりモータ７の駆動を継続させてカム機構９を作動させる。
【００５４】
そして、カム機構９の作動により円環部材9bを有する回転筒部材19が上動して噴霧ノズル４が元の位置まで復帰すると、回転筒部材19の下端面に押し付けられているスイッチ30a1が図８、図11に示すように元の位置まで上回動して開成し、モータ７の駆動を停止させて噴霧ノズル４を元位置まで復帰させた状態に保持し、次の噴霧に待機させる。
【００５５】
なお、上記実施例においては、噴霧ノズル４からの薬液噴霧は、一定時間間隔毎に一定時間、行うように構成しているが、ケース体１にセンサーを設けておき、このセンサーによってネズミ等を検知した際に、制御基板10の回路から信号を発して上記モータ７を駆動させ、噴霧ノズル４から薬液を一定時間だけ、噴霧させるように構成しておいてもよい。また、噴霧ノズル４から噴霧する薬液としては、ネズミの忌避剤に限定されることなく、その他の薬剤或いは防臭剤や芳香剤などであってもよい。
【符号の説明】
【００５６】
１  ケース体
２  カバー体
３  端面板
４  噴霧ノズル
4a  鍔部
５  薬液容器
７  モータ
８  減速機構
９  カム機構
9a  固定カム体
9a1 山部
9a2 谷部
9b  円環部材
9b1 凸部
10  制御基板
11  電源
19  回転筒部材
30  ノズル復帰機構
30a スイッチ回路
30b 作動片
30a1  スイッチ
【図１】
2019024392.tif 000003
【図２】
2019024392.tif 000004
【図３】
2019024392.tif 000005
【図４】
2019024392.tif 000006
【図５】
2019024392.tif 000007
【図６】
2019024392.tif 000008
【図７】
2019024392.tif 000009
【図８】
2019024392.tif 000010
【図９】
2019024392.tif 000011
【図１０】
2019024392.tif 000012
【図１１】
2019024392.tif 000013
【図１２】
2019024392.tif 000014